(57)【特許請求の範囲】
【請求項１】
相手先装置との間で、ＩＴＵ−Ｔ勧告Ｖ．８に規定される手順を実行し、上記手順に基づいて、上記相手先装置との間で実行可能な画伝送モードを設定するファクシミリ装置において、
ＡＮＳａｍ信号を送信するＡＮＳａｍ信号送信手段と；
ＣＭ信号を受信するＣＭ信号受信手段と；
上記ＡＮＳａｍ信号を送信した後に、Ｖ．３４通信不可を指定するＣＭ信号を受信すると、通信を中断する制御手段と；
を有することを特徴とするファクシミリ装置。
【請求項２】
請求項１において、
上記Ｖ．３４通信不可を指定するＣＭ信号を受信すると、直ちに回線断として通信を中断することを特徴とするファクシミリ装置。
【請求項３】
請求項１において、
上記Ｖ．３４通信不可を指定するＣＭ信号を受信すると、Ｖ．３４通信不可を表すＪＭ信号を送信し、その後、ＣＪ信号を受信したときに、回線断として通信を中断することを特徴とするファクシミリ装置。
【請求項４】
請求項１〜請求項３のいずれか１項において、
上記Ｖ．３４通信不可を指定するＣＭ信号を受信する通信で、回線断とした以降は、所定条件に基づいて、着信時の応答は、ＡＮＳａｍ信号を送信せずに、ＣＥＤ信号、Ｖ．２１のＤＩＳ信号を送信することを特徴とするファクシミリ装置。
【請求項５】
請求項４において、
上記所定条件は、その後に所定時間が経過するという条件であることを特徴とするファクシミリ装置。
【請求項６】
請求項４において、
上記所定条件は、その後に所定回数の着信動作をするという条件であることを特徴とするファクシミリ装置。
【請求項７】
相手先装置との間で、ＩＴＵ−Ｔ勧告Ｖ．８に規定される手順を実行し、上記手順に基づいて、上記相手先装置との間で実行可能な画伝送モードを設定するファクシミリ装置の制御方法において、
ＡＮＳａｍ信号を送信するＡＮＳａｍ信号送信段階と；
ＣＭ信号を受信するＣＭ信号受信段階と；
上記ＡＮＳａｍ信号を送信した後に、Ｖ．３４通信不可を指定するＣＭ信号を受信すると、通信を中断する制御段階と；
を有することを特徴とするファクシミリ装置の制御方法。
【請求項８】
請求項７において、
上記Ｖ．３４通信不可を指定するＣＭ信号を受信すると、直ちに回線断として通信を中断することを特徴とするファクシミリ装置の制御方法。
【請求項９】
請求項７において、
上記Ｖ．３４通信不可を指定するＣＭ信号を受信すると、Ｖ．３４通信不可を表すＪＭ信号を送信し、その後、ＣＪ信号を受信したときに、回線断として通信を中断することを特徴とするファクシミリ装置の制御方法。
【請求項１０】
請求項７〜請求項９のいずれか１項において、
上記Ｖ．３４通信不可を指定するＣＭ信号を受信する通信で、回線断とした以降は、所定条件に基づいて、着信時の応答は、ＡＮＳａｍ信号を送信せずに、ＣＥＤ信号、Ｖ．２１のＤＩＳ信号を送信することを特徴とするファクシミリ装置の制御方法。
【請求項１１】
請求項１０において、
上記所定条件は、その後に所定時間が経過するという条件であることを特徴とするファクシミリ装置の制御方法。
【請求項１２】
請求項１０において、
上記所定条件は、その後に所定回数の着信動作をするという条件であることを特徴とするファクシミリ装置の制御方法。
【発明の詳細な説明】
【０００１】
【発明の属する技術分野】
本発明は、ＩＴＵ−Ｔ勧告Ｖ．８通信が可能なファクシミリ装置およびファクシミリ装置の制御方法に関する。
【０００２】
【従来の技術】
１９９４年、ＩＴＵ−Ｔにおいて、勧告Ｖ．８が成立し、このＶ．８に規定される手順をファクシミリ装置に適用することが考えられる。
【０００３】
このＶ．８による手順が適用されるファクシミリ装置としては、Ｖ．３４に規定される手順、画伝送をサポートするファクシミリ装置が対象とされている。ここで、その後、Ｖ．８において、Ｖ．１７の記載はあるものの、明確に通信が決められてはいない。
【０００４】
【発明が解決しようとする課題】
しかし、受信機がＶ．３４通信をサポートし、着信時に、ＡＮＳａｍ信号を送信し、送信機から、Ｖ．１７通信を指定されたＣＭ信号を受信した場合、その後のＶ．８通信手順が明確には決まっていないので、中途半端にＶ．８通信を実行すると、Ｖ．１７通信が不成立になる可能性があるという問題がある。
【０００５】
本発明は、通信不具合が発生することが無く、次ステップへ確実に移行することができるファクシミリ装置を提供することを目的とするものである。
【０００６】
【課題を解決するための手段】
本発明は、相手先装置との間で、ＩＴＵ−Ｔ勧告Ｖ．８に規定される手順を実行し、上記手順に基づいて、上記相手先装置との間で実行可能な画伝送モードを設定するファクシミリ装置において、ＡＮＳａｍ信号を送信するＡＮＳａｍ信号送信手段と、ＣＭ信号を受信するＣＭ信号受信手段と、上記ＡＮＳａｍ信号を送信した後に、Ｖ．３４通信不可を指定するＣＭ信号を受信すると、通信を中断する制御手段とを有するファクシミリ装置である。
また、本発明は、相手先装置との間で、ＩＴＵ−Ｔ勧告Ｖ．８に規定される手順を実行し、上記手順に基づいて、上記相手先装置との間で実行可能な画伝送モードを設定するファクシミリ装置の制御方法において、ＡＮＳａｍ信号を送信するＡＮＳａｍ信号送信段階と、ＣＭ信号を受信するＣＭ信号受信段階と、上記ＡＮＳａｍ信号を送信した後に、Ｖ．３４通信不可を指定するＣＭ信号を受信すると、通信を中断する制御段階とを有するファクシミリ装置の制御方法である。
【０００７】
【発明の実施の形態および実施例】
［第１の実施例］
まず、ＩＴＵ−Ｔによって勧告化されたＶ．８の手順信号について説明する。
【０００８】
Ｖ．８の手順信号には、ＣＭ信号（起呼メニュー信号）と、ＣＪ信号と、ＪＭ信号（共通メニュー信号）とが含まれている。
【０００９】
ＣＭ信号は、起呼ＤＣＥから送信される信号であり、この信号は、主に起呼ＤＥＣで利用可能な変調方式を表示するために使用される。ＣＭ信号は、勧告Ｖ．２１で定義された低域チャンネルＶ．２１（Ｌ）によって変調された３００ｂｉｔ／ｓの反復ビット列で構成される。
【００１０】
ＣＪ信号は、ＪＭ信号を検出した確認とＣＭ信号の終了とを示す信号である。ＣＪ信号は、３００ｂｉｔ／ｓのＶ．２１（Ｌ）で変調され、スタートｂｉｔ／ｓとストップｂｉｔ／ｓとを含んだ連続する３つの総て「０」のオクテットで構成される。
【００１１】
ＪＭ信号は、応答ＤＥＣから送信される信号であり、この信号は主に起呼と応答ＤＥＣとで共通した利用可能な変調方式を示すために使用される。ＪＭ信号は、勧告Ｖ．２１で定義された高域チャンネルＶ．２１（Ｈ）によって変調された３００ｂｉｔ／ｓの反復ビット列で構成される。
【００１２】
次に、ＣＭ信号、ＣＪ信号、ＪＭ信号の各信号の符号化フォーマットについて説明する。
【００１３】
図７は、ＩＴＵ−Ｔ勧告Ｖ．８の手順信号に含まれるプリアンブルの構成を示す図である。
【００１４】
ＣＭ信号、ＣＪ信号、ＪＭ信号には、共通の符号化フォーマットが使用され、ＣＭ信号、ＣＪ信号、ＪＭ信号は、繰り返すビットシーケンスで構成されている。１つのシーケンスは、図７に示すように、最初１０個の「１」と、それに続く１０ビットの同期符号、さらに続く情報を載せたオクテットで構成されている。各オクテットのそれぞれには、先行するスタートビット（「０」）と、後続するストップビット（「１」）とが付加されている。
【００１５】
ＪＭ信号には、同じＶ．２１（Ｈ）変調を使用している勧告Ｔ．３０との混乱を避けるために、そのビット配置に、ＨＤＬＣフラグ（０１１１１１１０）が決して現れないような、符号制約条件が課せられている。
【００１６】
各オクテットは、ある１つの情報カテゴリに属する。大多数の応用によって信号の簡潔さが守られるならば、特別の応用のために情報カテゴリが拡張されることを、この符号化フォーマットは許容している。
【００１７】
１つのシーケンスにおける最初の情報カテゴリは、起呼機能でなければならない。それに後続する情報カテゴリのなかでは、特に順序は規定されない。１つのカテゴリの中の総ての情報は、１オクテットまたは、必要であれば、順序が決められた１つのオクテット・シーケンスで伝達される。
【００１８】
次に、カテゴリオクテットについて説明する。
【００１９】
図８は、ＩＴＵ−Ｔ勧告Ｖ．８の手順信号の情報カテゴリを決定するカテゴリオクテットのフォームを示す図である。
【００２０】
カテゴリオクテットは、新たな情報カテゴリの中では最初に発生されるオクテットであり、このオクテットには、情報カテゴリを決定する４ビットの符号を含んでいる。
【００２１】
このフォーマットは、以下のように構成され、表示されたビットは、左から右の順番で送信される。
【００２２】
スタートビット（０）  ｂ０  ｂ１  ｂ２  ０  １  ０  ｂ６  ｂ７  ストップビット  （１）
ビットｂ０〜ｂ３は、図８に示すように、ｂ０を最下位ビットとしたカテゴリを形成し、ビットｂ４は、フラグが成立しないように「０」に設定される。また、ｂ５〜ｂ７は、情報カテゴリのオプションビットである。
【００２３】
３つのオプションビットでは、特定のカテゴリを表すのに不足する場合は、カテゴリオクテットの直後に、拡張オクテットをいくつでも続けることができる。
【００２４】
この拡張オクテットのフォーマットは、以下に示すように構成されている。
【００２５】
スタートビット（０）  ｂ０  ｂ１  ｂ２  ０  １  ０  ｂ６  ｂ７  ストップビット  （１）
ビットｂ０〜ｂ２、ｂ６、ｂ７は、そのときのカテゴリに追加される５つのビットである。ビットｂ４は、カテゴリオクテットから拡張オクテットを区別するために、「１」に設定され、ｂ３とｂ５とは、フラグが成立しないように「０」に設定されている。
【００２６】
次に、ビットｂ０〜ｂ３で決定される情報カテゴリである起呼機能、変調モード、プロトコル、ＧＳＴＮアクセスについて、説明する。
【００２７】
図９は、起呼機能オクテットのビットの使用例を示す図である。
【００２８】
起呼機能オクテットの中における３つのオプションビットは、図９に示すように、特定の起呼機能を指定するために、使用されている。
【００２９】
図１０は、ＩＴＵ−Ｔ勧告Ｖ．８の手順信号で指定する変調モードを示す図である。
【００３０】
ＧＳＴＮで使用可能なＶシリーズ変調モードは、図１０に示すように、３つの符号で指定される。使用可能であるという設定は、表示された起呼機能の中でその変調モードが使用可能であり、しかも、遠隔ＤＣＥに対し、その能力を伝えたいと望む場合に限られる。
【００３１】
図１１は、ＩＴＵ−Ｔ勧告Ｖ．８の手順信号におけるプロトコルカテゴリ内部の符号一覧を表す図である。
【００３２】
プロトコルカテゴリ内部の符号一覧は、図１１に表されている。ＬＡＰＭプロトコル符号がＣＭ信号で示され、それを受け取った応答ＤＣＥ側が同じくＬＡＰＭを使用したい場合は、ＪＭ信号でもＬＡＰＭを表示するプロトコルオクテットが表示される。
【００３３】
図１２は、ＩＴＵ−Ｔ勧告Ｖ．８の手順信号のＧＳＴＮに接続するセルラーアクセスを示す符号を表す図である。
【００３４】
ＧＳＴＮに接続するセルラーアクセスを表示する符号は、図１２に示されている。
【００３５】
次に、Ｖ．３４に規定されるＩＮＦＯ０の情報ビットについて説明する。
【００３６】
図１３は、ＩＴＵ−Ｔ勧告によるＶ．３４のＩＮＦＯ０シーケンスのビット定義を示す図である。
【００３７】
ＩＮＦＯ０は、送信能力を表示するために使用される信号であり、その信号シーケンスのビットは、図１３に示すように、定義されている。
【００３８】
なお、本実施例では、ＩＮＦＯ０ａは被呼側から送出する信号であり、ＩＮＦＯ０ｃは発呼側から送出する信号である。
【００３９】
次に、本発明の第１の実施例について説明する。
【００４０】
図１は、本発明の第１の実施例であるファクシミリ装置ＦＳ１の構成を示すブロック図である。
【００４１】
ファクシミリ装置ＦＳ１は、図１に示すように、電話回線２ａに接続されている網制御装置（以下、ＮＣＵという。）２を備えている。
【００４２】
ＮＣＵ２は、電話網をデータ通信等に使用する場合に、回線端末へ接続する等の電話交換網の接続制御、データ通信路への切替を行い、電話回線２ａと電話機４との接続と、電話回線２ｂとハイブリッド回路６との接続とを選択的に切り換える。
【００４３】
ＮＣＵ２と電話機４とは、信号線２ｂで接続され、ＮＣＵ２とハイブリッド回路６とは、信号線２ｃで接続されている。ＮＣＵ２の切換動作は、後述する制御回路２０が制御する。信号線２０ａを介して、制御回路２０から与えられる制御信号が「０」であるときに、電話回線２ａと電話機４とが接続される。これに対し、制御信号が「１」であるときに、電話回線２ａとハイブリッド回路６とが接続される。なお、通常状態では、電話回線２ａと電話機４とが接続されている。
【００４４】
ハイブリッド回路６は、電話回線２ａを介して送信される送信系からの送信信号と、電話回線２ａを介して受信される受信系への受信信号とを分離する。
【００４５】
送信系は、ＣＣＤ（電化結合素子）等の撮像素子と光学系とから構成されている読取回路１４とＡＮＳａｍ送出回路１０とを有する。
【００４６】
読取回路１４は、送信原稿から主走査方向の１ライン分の画像を順次、読取り、この読み取られた画像を示すデータは、信号線１４ａに出力される。
【００４７】
ＡＮＳａｍ送出回路１０は、信号線２０ｄを介して、制御回路２０からレベル「１」の信号が与えられると、信号線１０ａにＡＮＳａｍ信号を出力する。これに対して、信号線２０ｄを介して、制御回路２０からレベル「０」の信号が与えられると、信号線１０ａへＡＮＳａｍ信号を出力しない。
【００４８】
信号線１４ａを介して、読取回路１４から出力されたデータは、制御回路２０に与えられる。制御回路２０は、信号線１４ａを介して取り込まれたデータを符号化処理し、この符号化されたデータは、信号線２０ｂを介して、変復調器８に出力される。
【００４９】
変復調器８は、信号線２０ｂから受け取った符号化データを変調処理し、変調信号を生成するとともに、信号線６ａを介して、ハイブリッド回路６から取り込まれた受信信号を復調処理し、復調データを生成する。この変調処理と復調処理とは、ＩＴＵ−Ｔ勧告Ｖ．８、Ｖ．２１、Ｖ．２７ｔｅｒ、Ｖ．２９、Ｖ．１７、Ｖ．３４に基づいて行われる。
【００５０】
変復調器８による変調、復調処理の内容は、信号線２０ｃを介して、制御回路２０から与えられた信号によって指示され、この指示された変調、復調処理によって伝送モードが決定される。
【００５１】
変復調器８で生成された変調信号は、信号線８ａを介して、加算回路１２に与えられる。加算回路１２は、変復調器８からの変調信号と、ＡＮＳａｍ送出回路１０からのＡＮＳａｍ信号とを加算する。この加算された信号は、信号線１２ａを介して、ハイブリッド回路６に出力され、ハイブリッド回路６は、上記加算された信号を送信信号としてＮＣＵ２経由で、電話回線２ａに送出する。
【００５２】
これに対し、受信系では、ＮＣＵ２経由で、相手装置から受信した信号が、信号線６ａを介して、ハイブリッド回路６から変復調器８に出力される。変復調器８は、上記のように、信号線６ａを介して取り込まれた受信号を復調処理し、復調データを生成する。変復調器８で生成された復調データは、信号線８ｂを介して、制御回路２０に与えられる。制御回路２０は、復調データに対し復号化等の処理を施し、復号化されたデータは、信号線２０ｅを介して、記録回路１６に与えられる。
【００５３】
記録回路１６は、復号化されたデータが示す画像を、１ライン毎に、順次、記録紙に記録する。
【００５４】
読取回路１４で読み取られたデータ、そのデータを符号化したデータ、受信したデータ、そのデータを復号化したデータは、必要に応じて、メモリ回路１８に格納される。
【００５５】
制御回路２０は、相手先装置からの情報を受信し、相手先装置へ情報を送信するための伝送制御を行う。
【００５６】
この伝送制御を規定する伝送制御手順には、ＩＴＵ−Ｔ勧告Ｖ．８、Ｖ．２１、Ｖ．２７ｔｅｒ、Ｖ．２９、Ｖ．１７、Ｖ．３４の各手順が用いられている。
【００５７】
具体的には、相手先装置との間でＩＴＵ−Ｔ勧告Ｖ．８に規定される手順を実行し、その手順に基づいて、上記相手先装置との間で実行可能な画伝送モードを設定するファクシミリ装置において、ＡＮＳａｍ信号送信手段、ＣＭ信号受信手段を有し、ＡＮＳａｍ信号を送信した後に、Ｖ．３４通信不可を指定するＣＭ信号を受信すると、通信を中断する。
【００５８】
ここで、Ｖ．３４通信不可を指定するＣＭ信号を受信すると、回線断として通信を直ちに中断する。そして、Ｖ．３４通信不可を指定するＣＭ信号を受信する通信で、回線断とした以降は、所定条件に基づいて、着信時の応答は、ＡＮＳａｍ信号を送信せずに、ＣＥＤ信号、Ｖ．２１のＤＩＳ信号を送信する。ここで、所定条件として、その後の所定時間とする。
【００５９】
図２、図３、図４は、上記実施例の制御動作を示すフローチャートである。
【００６０】
Ｓ２では、Ｖ２１ＲＣＶに０をセットし、Ｓ４では、信号線２０ａに、レベル「０」の信号を出力し、ＣＭＬ信号をオフし、ステップＳ６では、信号線２０ｄにレベル「０」の信号を出力することによって、ＡＮＳａｍ信号を出力しないように設定する。
【００６１】
Ｓ８では、着呼が選択されたか否かを判断し、着呼が選択されないと、Ｓ１０で、その他の処理を実行し、ステップＳ４に戻り、着呼が選択されると、Ｓ１２では、信号線２０ａにレベル「１」の信号を出力し、ＣＭＬ信号をオンし、Ｓ１４では、タイマＴ１に３５秒をセットする。
【００６２】
Ｓ１６では、Ｖ２１ＲＣＶが０であるか否かを判断し、Ｖ２１ＲＣＶが０であれば、ステップＳ１８に進み、Ｖ２１ＲＣＶが０でなければ、ステップＳ５６に進む。
【００６３】
Ｓ１８では、タイマＡＮＳＴＩＭに５秒をセットし、Ｓ２０では、信号線２０ｄに、レベル「１」の信号を出力することによって、ＡＮＳａｍ信号を出力するように設定する。
【００６４】
Ｓ２２では、タイマＡＮＳＴＩＭがタイムオーバしたか否かを判断し、タイマＡＮＳＴＩＭがタイムオーバしていれば、ステップＳ２６に進み、タイマＡＮＳＴＩＭがタイムオーバしていなければ、ステップＳ２４に進む。
【００６５】
Ｓ２４では、ＣＭ信号を受信したか否かを判断し、ＣＭ信号を受信していれば、ステップＳ４４に進み、ＣＭ信号を受信していなければ、ステップＳ２２に進む。
【００６６】
Ｓ２６では、信号線２０ｄにレベル「０」の信号を出力することによって、ＡＮＳａｍ信号を出力しないように設定し、Ｓ２８では、Ｔ４タイマに３秒をセットし、Ｓ３０では、Ｖ．２１信号での（ＮＳＦ／ＣＳＩ／）ＤＩＳ信号を送信し、ここで、Ｖ．８の受信機能有りを通知する。
【００６７】
Ｓ３２では、Ｖ．８のＣＩ信号を受信したか否かを判断し、Ｖ．８のＣＩ信号を受信していれば、ステップＳ３４に進み、Ｖ．８のＣＩ信号を受信していなければ、ステップＳ３６に進む。
【００６８】
Ｓ３４では、タイマＴ１がタイムオーバしたか否かを判断し、タイマＴ１がタイムオーバしていれば、ステップＳ４に進み、タイマＴ１がタイムオーバしていなければ、ステップＳ１８に進む。
【００６９】
Ｓ３６では、Ｖ．２１信号での（ＮＳＳ／ＴＳＩ／）ＤＣＳ信号を受信したか否かを判断し、Ｖ．２１信号での（ＮＳＳ／ＴＳＩ／）ＤＣＳ信号を受信していれば、ステップＳ３８に進み、Ｖ．２１信号での（ＮＳＳ／ＴＳＩ／）ＤＣＳ信号を受信していなければ、ステップＳ４０に進む。
【００７０】
Ｓ３８では、Ｖ．２１の手順、Ｖ．２７ｔｅｒ、または、Ｖ．２９、または、Ｖ．１７の画信号を受信する。
【００７１】
Ｓ４０では、タイマＴ４がタイムオーバしたか否かを判断し、タイマＴ４がタイムオーバすると、ステップＳ４２に進み、タイマＴ４がタイムオーバしていなければ、ステップＳ３２に進む。
【００７２】
Ｓ４２では、タイマＴ１がタイムオーバしたか否かを判断し、タイマＴ１がタイムオーバしていれば、ステップＳ４に進み、タイマＴ１がタイムオーバしていなければ、ステップＳ２８に進む。
【００７３】
Ｓ４４では、受信したＣＭ信号より判断し、Ｖ．３４の半二重通信が可能であるか否かを判断し、Ｖ．３４の半二重通信が可能であれば、ステップＳ４６に進み、Ｖ．３４の半二重通信が可能でなければ（ここで、Ｖ．２１通信は可とし、また、Ｖ．２７ｔｅｒ、または、Ｖ．２９、または、Ｖ．１７通信は可とする）、ステップＳ５２に進む。
【００７４】
Ｓ４６では、Ｖ．３４半二重通信可のＪＭ信号を送信し、Ｓ４８では、ＣＪ信号を受信し、Ｓ５０では、Ｖ．３４の手順、画信号を受信し、Ｓ５２では、Ｖ２１ＲＣＶに１をセットし、Ｓ５４では、タイマＶ２１ＲＣＶＴＭに５分をセットする。
【００７５】
Ｓ５６では、タイマＶ２１ＲＣＶＴＭがタイムオーバしたか否かを判断し、タイマＶ２１ＲＣＶＴＭがタイムオーバしていれば、ステップＳ５８に進み、タイマＶ２１ＲＣＶＴＭがタイムオーバしていなければ、ステップＳ６０に進む。
【００７６】
Ｓ５８では、Ｖ２１ＲＣＶに０をセットし、Ｓ６０では、Ｖ．２１信号での（ＮＳＦ／ＣＳＩ／）ＤＩＳ信号を送信し、ここで、Ｖ．８の受信機能無しを通知する。Ｓ６２では、Ｖ．２１信号の（ＮＳＳ／ＴＳＩ／）ＤＣＳ信号を受信し、以後、Ｖ．２１手順の実行、Ｖ．２７ｔｅｒ、または、Ｖ．２９、または、Ｖ．１７画信号を受信する。
【００７７】
次に、上記実施例における伝送制御手順について説明する。
【００７８】
まず、被呼端末からＡＮＳａｍ信号を受信した後に、Ｖ．３４の手順、画伝送を実行するまでの伝送制御手順について説明する。
【００７９】
図５は、ファクシミリ装置ＦＳ１に適用される伝送制御手順の一例を示す図である。
【００８０】
図５を参照するに、被呼端末から全二重通信を可能にする信号（ＡＮＳａｍ信号であって、２１００Ｈｚを１５Ｈｚで変調した信号）が送出される。発呼側が、Ｖ．８に基づく変調によるＣＭ信号を送出し、このＣＭ信号によって、画伝送時に実行可能な伝送モードが、被呼端末に通知される。
【００８１】
ＣＭ信号を受信した被呼端末は、ＣＭ信号で指定した伝送モードの中で受信可能な伝送モード（Ｖ．３４）を、発呼端末に通知し、この通知に、ＪＭ信号が用いられる。
【００８２】
ＪＭ信号を受信した発呼端末は、ＣＪ信号を送出することによって、伝送モードを被呼端末に通知する。
【００８３】
ＣＪ信号を送出した後、すなわちＶ．８手順完了後５０ｍｓｅｃが経過した後に、発呼端末は、Ｖ．３４手順を開始し、電話回線２ａの状況をチェックするためのラインプルービング信号（先頭にＩＮＦＯ０ｃが付加されている）を送出する。被呼端末は、発呼端末からのラインプルービング信号に応答した信号（先頭にＩＮＦＯ０ａが付加されている）を送出し、この信号によって、以後の送出レベル、振幅レベルの補正、伝送ボーレートを、発呼端末に通知する。
【００８４】
発呼端末は、ラインプルービング信号を送出してから、５０ｍｓｅｃが経過した後に、ロングトレーニング信号を送出し、被呼端末は、このロングトレーニング信号に基づいて、モデムの等化器の調整、タイミング検出等を実施する。
【００８５】
発呼端末は、ロングトレーニング信号を送出してから５０ｍｓｅｃが経過した後に、パラメータ交換信号を送出する。被呼端末は、パラメータ交換信号に応答した信号を送出し、この信号によって、以後のリンク補正、ビットレートを、発呼端末に通知する。
【００８６】
パラメータ交換信号に応答した後に、被呼端末は、ＣＳＩ、ＤＩＳ信号を送出し、発呼端末からＴＳＩ、ＤＣＳ信号を受信するまでフラグを送出し、ＴＳＩ、ＤＣＳ信号を受信した後に、ＣＦＲ信号を送出する。発呼端末は、ＣＳＩ、ＤＩＳ信号を受信した後に、ＴＳＩ、ＤＣＳ信号を送出し、被呼端末からのＣＦＲ信号を受信するまで、フラグを送出する。
【００８７】
発呼端末は、フラグを送出してから５０ｍｓｅｃが経過した後に、Ｖ．３４による画伝送を開始し、画信号を送出する。画信号送出を終了してから５０ｍｓｅｃを経過した後に、Ｖ．３４による手順が実行され、発呼端末からは、ＰＰＳ−ＭＰＳ信号が送出され、被呼端末からＭＣＦ信号を受信するまで、フラグが送出される。被呼端末は、ＰＰＳ−ＭＰＳ信号を受信した後に、ＭＣＦ信号を送出する。
【００８８】
フラグを送出してから５０ｍｓｅｃを経過した後に、Ｖ．３４による画伝送が実行され、発呼端末からは、画信号が再び送出される。画信号送出を終了してから５０ｍｓｅｃを経過した後に、Ｖ．３４による手順が実行され、発呼端末は、ＰＰＳ−ＥＯＰ信号を送出し、ＭＣＦ信号を受信するまでフラグを送出する。被呼端末は、ＰＰＳ−ＥＯＰ信号を受信した後に、ＭＣＦ信号を送出する。以降、上記と同様の手順を、画伝送が終了するまで繰り返す。
【００８９】
次に、被呼端末からＡＮＳａｍ信号を受信してから、Ｖ．２１の手順、Ｖ．１７の画伝送の実行までの伝送制御手順について説明する。
【００９０】
図６は、ファクシミリ装置ＦＳ１に適用される伝送制御手順の他の例を示す図である。
【００９１】
図６を参照するに、まず、被呼端末は、ＡＮＳａｍを送信し、発呼端末は、Ｖ．３４通信不可能なＣＭ信号を送信する。このときに、受信機は、ＡＮＳａｍ信号の送信を中断し、直に回線断する。そして、その後の所定時間の着信には、ＣＥＤ信号、Ｖ．２１手順のＮＳＦ／ＣＳＩ／ＤＩＳ信号（ここで、ＤＩＳ信号でＶ．８受信機能無しを知らせる）を送信する。
【００９２】
この信号に対応し、発呼端末は、（ＮＳＳ／ＴＳＩ／）ＤＣＳ信号を送信し、続いて、トレーニングチェック信号によって速度を決定し、Ｖ．２７ｔｅｒ、または、Ｖ．２９、またはＶ．１７による画伝送が実行される。
【００９３】
［第２の実施例］
本発明の第２の実施例は、第１の実施例において、Ｖ．３４通信不可を指定するＣＭ信号を受信する通信で、回線断にした以降は、所定条件に基づいて、着信時の応答は、ＡＮＳａｍ信号を送信せずに、ＣＥＤ信号、Ｖ．２１のＤＩＳ信号の送信とするが、この所定条件が、その後に所定回数、着信動作したことである実施例である。
【００９４】
図６は、第１の実施例に対して、被呼端末は、ＡＮＳａｍを送信し、発呼端末は、Ｖ．３４通信不可能なＣＭ信号を受信し、回線断とした後、所定回数の着信は、ＣＥＤ信号、Ｖ．２１手順のＮＳＦ／ＣＳＩ／ＤＩＳ信号（ここで、ＤＩＳ信号でＶ．８受信機能無しを知らせる）を送信する。
【００９５】
この信号に対応し、発呼端末は、（ＮＳＳ／ＴＳＩ／）ＤＣＳ信号を送信し、続いて、トレーニングチェック信号によって速度を決定し、Ｖ．２７ｔｅｒ、または、Ｖ．２９、またはＶ．１７による画伝送が実行される。
【００９６】
図１４は、第２の実施例において、図２、図３、図４に示すフローチャートと異なる部分の制御動作を示すフローチャートである。
【００９７】
Ｓ７２では、カウンタＶ２１ＲＣＶＣＮＴに３をセットし、Ｓ７４は、Ｓ４を表し、Ｓ７６は、ステップＳ１６のＮＯを表し、Ｓ７８では、カウンタＶ２１ＲＣＶＣＮＴが０以下であるか否かを判断し、カウンタＶ２１ＲＣＶＣＮＴが０以下であれば、ステップＳ８０（Ｓ５８）に進み、カウンタＶ２１ＲＣＶＣＮＴが０以下でなければ、ステップＳ８２に進む。
【００９８】
Ｓ８２では、カウンタＶ２１ＲＣＶＣＮＴの値を１つデクリメントし、Ｓ８４は、Ｓ６０を表している。
【００９９】
［第３の実施例］
本発明の第３の実施例は、第１の実施例において、ＡＮＳａｍ信号を送信した後に、Ｖ．３４通信不可を指定するＣＭ信号を受信すると、Ｖ．３４通信不可を表すＪＭ信号を送信し、その後に、ＣＪ信号を受信したときに、回線断として通信を中断する実施例である。
【０１００】
図６は、第１の実施例において、被呼端末は、ＡＮＳａｍを送信し、発呼端末は，Ｖ．３４通信不可能なＣＭ信号を送信することを示す図である。
【０１０１】
受信機は、Ｖ．３４通信不可能なＪＭ信号を送信し、送信機からＣＪ信号を受信した後に、回線断とする。
【０１０２】
図１５は、第３の実施例において、図２、図３、図４に示すフローチャートと異なる部分の制御動作を示すフローチャートである。
【０１０３】
Ｓ９０は、ステップＳ４４でＶ．３４半二重通信不可を表し、Ｓ９２では、ＪＭ信号の送信を表し、ここで、全ての通信が不可を表すＪＭ信号とする。
【０１０４】
Ｓ９４は、ＣＪ信号の受信を表し、Ｓ９６は、Ｓ５２を表している。
【０１０５】
［第４の実施例］
第４の実施例は、第２の実施例において、ＡＮＳａｍ信号を送信した後に、Ｖ．３４通信不可を指定するＣＭ信号を受信すると、Ｖ．３４通信不可を表すＪＭ信号を送信し、その後に、ＣＪ信号を受信時に回線断として通信を中断する実施例である。
【０１０６】
図６は、第４の実施例において、被呼端末は、ＡＮＳａｍを送信し、発呼端末は、Ｖ．３４通信不可能なＣＭ信号を送信することを示す図である。
【０１０７】
受信機は、Ｖ．３４通信不可能なＪＭ信号を送信し、送信機からＣＪ信号が受信後、回線断とする。
【０１０８】
【発明の効果】
請求項１、７記載の発明によれば、ＡＮＳａｍ信号を送信した後に、Ｖ．３４通信不可を指定するＣＭ信号を受信すると、この後に、Ｖ．８手順、Ｖ．２１手順、Ｖ．２７ｔｅｒ、または、Ｖ．２９、または、Ｖ．１７の画情報の受信シーケンスに進まずに、回線断にでき、通信不具合が発生することが無く、次ステップへ確実に移行することができるという効果を奏する。
【０１０９】
請求項２、８記載の発明によれば、ＡＮＳａｍ信号を送信した後に、Ｖ．３４通信不可を指定するＣＭ信号を受信すると、この後に、Ｖ．８手順、Ｖ．２１手順、Ｖ．２７ｔｅｒ、または、Ｖ．２９、または、Ｖ．１７の画情報の受信シーケンスに進まずに、ＣＭ信号を受信したときに、直ちに回線断にでき、通信不具合が発生することが無く、次ステップへ確実に移行することができるという効果を奏する。
【０１１０】
請求項３、９記載の発明によれば、ＡＮＳａｍ信号を送信した後に、Ｖ．３４通信不可を指定するＣＭ信号を受信すると、この後に、Ｖ．８手順、Ｖ．２１手順、Ｖ．２７ｔｅｒ、または、Ｖ．２９、または、Ｖ．１７の画情報の受信シーケンスに進まずに、ＪＭ信号を送信し、ＣＪ信号を受信した後に、すなわち、Ｖ．８プロトコルが終了後の好タイミングで、回線断にでき、通信不具合が発生することが無く、次ステップへ確実に移行することができるという効果を奏する。
【０１１１】
請求項４、５、１０、１１記載の発明によれば、ＡＮＳａｍ信号を送信した後に、Ｖ．３４通信不可を指定するＣＭ信号を受信すると、この後に、Ｖ．８手順、Ｖ．２１手順、Ｖ．２７ｔｅｒ、または、Ｖ．２９、または、Ｖ．１７の画情報の受信シーケンスに進まずに、回線断にでき、通信不具合が発生することが無く、さらに、その後の所定時間以内の着信時は、ＡＮＳａｍ信号を送信せずに、ＣＥＤ信号、Ｖ．２１のＤＩＳ信号の送信が可能になり、Ｖ．２１手順、Ｖ．２７ｔｅｒ、または、Ｖ．２９、または、Ｖ．１７の画情報を確実に受信することができるという効果を奏する。
【０１１２】
請求項６、１２記載の発明によれば、ＡＮＳａｍ信号を送信した後に、Ｖ．３４通信不可を指定するＣＭ信号を受信すると、この後に、Ｖ．８手順、Ｖ．２１手順、Ｖ．２７ｔｅｒ、または、Ｖ．２９、または、Ｖ．１７の画情報の受信シーケンスに進まずに、回線断にでき、通信不具合が発生することが無く、さらに、その後の所定回数以内の着信時には、ＡＮＳａｍ信号を送信せずに、ＣＥＤ信号、Ｖ．２１のＤＩＳ信号の送信が可能になり、Ｖ．２１手順、Ｖ．２７ｔｅｒ、または、Ｖ．２９、または、Ｖ．１７の画情報を確実に受信することができるという効果を奏する。
【図面の簡単な説明】
【図１】本発明の第１の実施例であるファクシミリ装置ＦＳ１の構成を示すブロック図である。
【図２】上記実施例の制御動作を示すフローチャートである。
【図３】上記実施例の制御動作を示すフローチャートである。
【図４】上記実施例の制御動作を示すフローチャートである。
【図５】ファクシミリ装置ＦＳ１に適用される伝送制御手順の一例を示す図である。
【図６】ファクシミリ装置ＦＳ１に適用される伝送制御手順の他の例を示す図である。
【図７】ＩＴＵ−Ｔ勧告Ｖ．８の手順信号に含まれるプリアンブルの構成を示す図である。
【図８】ＩＴＵ−Ｔ勧告Ｖ．８の手順信号の情報カテゴリを決定するカテゴリオクテットのフォームを示す図である。
【図９】起呼機能オクテットのビットの使用例を示す図である。
【図１０】ＩＴＵ−Ｔ勧告Ｖ．８の手順信号で指定する変調モードを示す図である。
【図１１】ＩＴＵ−Ｔ勧告Ｖ．８の手順信号におけるプロトコルカテゴリ内部の符号一覧を表す図である。
【図１２】ＩＴＵ−Ｔ勧告Ｖ．８の手順信号のＧＳＴＮに接続するセルラーアクセスを示す符号を表す図である。
【図１３】ＩＴＵ−Ｔ勧告によるＶ．３４のＩＮＦＯ０シーケンスのビット定義を示す図である。
【図１４】第２の実施例において、図２、図３、図４に示すフローチャートと異なる部分の制御動作を示すフローチャートである。
【図１５】第３の実施例において、図２、図３、図４に示すフローチャートと異なる部分の制御動作を示すフローチャートである。。
【符号の説明】
ＦＳ１…ファクシミリ装置、
２…ＮＣＵ、
１０…ＡＮＳａｍ送出回路、
１４…読取回路、
１６…記録回路、
１８…メモリ回路、
２０…制御回路。
【図１】
0003582788.tif 000002
【図２】
0003582788.tif 000003
【図３】
0003582788.tif 000004
【図４】
0003582788.tif 000005
【図５】
0003582788.tif 000006
【図６】
0003582788.tif 000007
【図７】
0003582788.tif 000008
【図８】
0003582788.tif 000009
【図９】
0003582788.tif 000010
【図１０】
0003582788.tif 000011
【図１１】
0003582788.tif 000012
【図１２】
0003582788.tif 000013
【図１３】
0003582788.tif 000014
【図１４】
0003582788.tif 000015
【図１５】
0003582788.tif 000016